(57)【要約】【課題】撮影光学系等に用いるフィルタにおいて、中心から周辺にむかって光束透過率が略直線的に減少する特性としたため、ボケ像の輪郭調節機能が適度に発揮され、かつボケ像の大きさを適切に維持した画像を与えることを可能にする。【解決手段】中心から周辺に向かって光束透過率が略直線的に減少し、かつ該中心に対する光束透過率分布が軸対称である（Ｔｒ−１）光学フィルタとする。【選択図】図３
2005266096.tif 000002
【特許請求の範囲】
【請求項１】
中心から周辺に向かって光束透過率が略直線的に減少し、かつ該中心に対する光束透過率分布が軸対称であることを特徴とする光学フィルタ。
【請求項２】
前記中心から周辺に向かって減少する光束透過率が、基準となる直線に対して２０％以下の偏差に抑えられることを特徴とする請求項１に記載の光学フィルタ。
【請求項３】
第１の中心からその周辺に向かって光束透過率が略直線的に減少する第１のフィルタ部と、第２の中心からその周辺に向かって光束透過率が略ガウス分布にて減少する第２のフィルタ部とを切換え可能な位置に有することを特徴とする光学フィルタ。
【請求項４】
中心部が所定の光吸収能率を有するとともに該中心部から周辺に向かって光束透過率が略直線的に減少し、かつ該中心部に対する光束透過率分布が軸対称であることを特徴とする光学フィルタ。
【請求項５】
請求項１ないし４のいずれかに記載の光学フィルタと、被写体像を形成する結像光学系と、前記被写体像を光電変換する撮像手段と、前記光電変換された信号を記録する記録手段とを有したことを特徴とする撮影装置。
【発明の詳細な説明】
【技術分野】
【０００１】
本発明は、写真撮影の際に良好なボケ像を得るための光学フィルタや、該光学フィルタを搭載した撮影装置に関するものである。
【背景技術】
【０００２】
従来より、ピントの合っていない画像、いわゆるボケ像を良好にするための光学フィルタと、これを組み込んだカメラに関する技術が知られている。該フィルタの一例として、アポダイゼイションフィルタが挙げられる。アポダイゼイションフィルタは、光軸中心から光軸と垂直な方向に離れるに従って光束透過率が低下するように構成されたフィルタで、このフィルタを用いるとボケ像の輪郭がなだらかになり、２線ボケやリングボケが緩和される。そこで、ポートレイト撮影やマクロ撮影等、焦点深度の浅いシーンでは背景像は輪郭の柔らかな自然なボケ像となり、焦点の合った主被写体が引き立った品位の高い画像が得られる。
【０００３】
このような効果を得るためのフィルタの製法や構造について、以下のような技術が開示されている。
【０００４】
例えば特許文献１には、吸光性ガラスを用いた平凹レンズと透明ガラスを用いた凸平レンズを貼りあわせ、光学パワーをほぼゼロにしたアポダイゼイションフィルタの構造がＦｉｇ．６に、その光学特性がＦｉｇ．４に開示されている。また、この特許文献１には、透明板上に感光性樹脂を塗布し、光学マスクを介して感光性樹脂を着色反応させたり、透明板上に真空蒸着法を用いて光吸収層を作成することで、種々の透過率分布形状を有したアポダイゼイションフィルタが製作可能、との記載があり、その光学特性がＦｉｇ．１０ないしＦｉｇ．１２に開示されている。
【０００５】
また、特許文献２には、アポダイゼイションフィルタを着脱可能にしたレンズ鏡筒と、装着されたフィルタの種類に対応した記憶情報に基づいて、絞り制御を行うカメラが開示されている。
【０００６】
また、非特許文献１には、特許文献１に記載された技術である、吸光性ガラスを用いた平凹レンズと透明ガラスを用いた凸平レンズを貼りあわせて製作したアポダイゼイションフィルタの製品応用例と、該フィルタの透過率分布特性が開示されている。
【特許文献１】米国特許第３，８４３，２３５号公報
【特許文献２】特開平１０−２６８３８２号公報
【非特許文献１】（株）写真工業出版社発行の月刊誌「写真工業」、１９９９年４月号７４頁ないし７７頁
【発明の開示】
【発明が解決しようとする課題】
【０００７】
ところで、アポダイゼイションフィルタの光学特性が不適切であると、以下のような問題が生じる。
（Ａ）フィルタ周縁部の透過率が過大であると、ボケ像の輪郭緩和効果が少なくなる。
（Ｂ）フィルタ周縁部の透過率が過少であると、ボケ像の直径が小さくなり、画像の立体感、奥行き感が損なわれる。
（Ｃ）透過率分布形状が不適切であると、ボケ像の輪郭が不自然になる。
（Ｄ）フィルタ有効部全体の平均透過率が過少であると、透過光量が減少して露光時間が延び、手ぶれの影響が増大する。
【０００８】
従って、アポダイゼイションフィルタの光学特性は、上記問題をバランスよく回避した透過率分布形状が求められるが、上記従来技術には以下のような欠点がある。
（１）特許文献１及び非特許文献１において開示された貼りあわせ式ガラスフィルタ、すなわち吸光性ガラスを用いた平凹レンズと透明ガラスを用いた凸平レンズを貼りあわせて製作したアポダイゼイションフィルタでは、透過率分布形状は略ガウス分布（確率理論における、正規分布と呼ばれる形状）に限定され、上記（Ａ）ないし（Ｄ）の問題をバランスよく解決する特性を得ることは困難である。
（２）特許文献１のＦｉｇ．１０ないしＦｉｇ．１２に開示された透過率分布には具体的な数値の限定がなく、上記（Ａ）ないし（Ｄ）の問題を解決するために備えるべき光学特性に関する明示的な記載もない。
（３）特許文献２には、撮影目的に応じて異なるフィルタを選択的に装着可能な機構が開示されているが、ボケ像の輪郭緩和効果を最適化する手法や、そのためのフィルタ特性に関する記載はない。
【０００９】
（発明の目的）
本発明の第１の目的は、ボケ像の輪郭調節機能が適度に発揮され、かつボケ像の大きさを適切に維持した画像を得ることのできる光学フィルタを提供しようとするものである。
【００１０】
本発明の第２の目的は、製造誤差の許容値を過少な値に制限する必要がなく、製法自由度を増したり、製造規格の緩和によるコスト低減を図ることのできる光学フィルタを提供しようとするものである。
【００１１】
本発明の第３の目的は、撮影意図に応じた高品位画像を得ることのできる光学フィルタを提供しようとするものである。
【００１２】
本発明の第４の目的は、ボケ像の輪郭調節効果を得ながら適正露出の画像を得ることのできる光学フィルタを提供しようとするものである。
【００１３】
本発明の第５の目的は、ボケ像の輪郭調節効果とボケ像の大きさ維持効果の両立を図った高品位画像を簡単に取得することのできる撮影装置を提供しようとするものである。
【課題を解決するための手段】
【００１４】
上記目的を達成するために、請求項１に記載の発明は、中心から周辺に向かって光束透過率が略直線的に減少し、かつ該中心に対する光束透過率分布が軸対称な光学フィルタとするものである。
【００１５】
上記構成によれば、ボケ像の輪郭調節効果とボケ像の大きさ維持効果を両立できる構成にしている。
【００１６】
また、請求項２に記載の発明は、前記中心から周辺に向かって減少する光束透過率が、基準となる直線に対して２０％以下の偏差に抑えられた請求項１に記載の光学フィルタとするものである。
【００１７】
上記構成によれば、フィルタの製造誤差が生じてもボケ像の輪郭調節機能を損なうことのない構成にしている。
【００１８】
また、請求項３に記載の発明は、第１の中心からその周辺に向かって光束透過率が略直線的に減少する第１のフィルタ部と、第２の中心からその周辺に向かって光束透過率が略ガウス分布にて減少する第２のフィルタ部とを切換え可能な位置に有する光学フィルタとするものである。
【００１９】
上記構成によれば、撮影者の意図に応じた特性のフィルタを使用可能としている。
【００２０】
また、請求項４に記載の発明は、中心部が所定の光吸収能率を有するとともに該中心部から周辺に向かって光束透過率が略直線的に減少し、かつ該中心部に対する光束透過率分布が軸対称である光学フィルタとするものである。
【００２１】
上記構成によれば、ボケ像の輪郭調節機能と光束減衰機能を兼ね備えることを可能にしている。
【００２２】
また、請求項５に記載の発明は、請求項１ないし４のいずれかに記載の光学フィルタと、被写体像を形成する結像光学系と、前記被写体像を光電変換する撮像手段と、前記光電変換された信号を記録する記録手段とを有した撮影装置とするものである。
【００２３】
上記構成によれば、ボケ像に輪郭調節効果が施された高品位画像を簡単に得ることが可能な構成にしている。
【発明の効果】
【００２４】
上記請求項１に記載の発明によれば、撮影光学系等に用いるフィルタにおいて、中心から周辺にむかって光束透過率が略直線的に減少する特性としたため、ボケ像の輪郭調節機能が適度に発揮され、かつボケ像の大きさを適切に維持した画像を得ることができる光学フィルタを提供できるものである。
【００２５】
また、請求項２に記載の発明によれば、フィルタの透過率分布の設計値を直線形状としたため、製造誤差の許容値を過少な値に制限する必要がなく、製法自由度を増したり、製造規格の緩和によるコスト低減を図ったりすることができる光学フィルタを提供できるものである。
【００２６】
また、請求項３に記載の発明によれば、ボケ像の輪郭調節機能とボケ像の大きさ維持機能の両立を図った第１のフィルタと、ボケ像の輪郭調節機能を重視した第２のフィルタを選択的に使用できるため、撮影意図に応じた高品位画像を得ることができる光学フィルタを提供できるものである。
【００２７】
また、請求項４に記載の発明によれば、高輝度シーンにおいても、アポダイゼイション効果を得ながら絞り開放で撮影できるため、ボケ像の輪郭調節効果を得ながら適正露出の画像を得ることができる光学フィルタを提供できるものである。
【００２８】
また、請求項５に記載の発明によれば、デジタルカメラ等の撮影装置の瞳位置近傍に上記アポダイゼイションフィルタを配置することで、ボケ像の輪郭調節効果とボケ像の大きさ維持効果の両立を図った高品位画像を簡単に取得することができる撮影装置を提供できるものである。
【発明を実施するための最良の形態】
【００２９】
以下の実施例１及び実施例２に示される通りである。
【実施例１】
【００３０】
図１ないし図７は、本発明の実施例１に係わる図である。
【００３１】
図１は本発明のアポダイゼイションフィルタを内蔵した光量調節装置１００の要部分解斜視図である。同図において、１１１は全域に渡って遮光性を有する絞り羽根で、その下面と上面には被駆動用のピン１１２および１１３が植設される。絞り羽根１１１は同一形状のものが６枚用いられ、絞り開口が形成される。なお、絞り羽根１１１の数が多いほど、絞り込み時の開口形状が円形に近く、ボケ像の自然さと多角形開口の頂点部による回折現象が緩和されるが、製造コストも上昇する。したがって、本方式の絞り機構では、絞り羽根の枚数を５枚ないし９枚の間にするのが好適である。本実施例１では図示のごとく６枚の絞り羽根を用い、大きさ、光学性能、及び製造コストの最適化を図っている。
【００３２】
１２１は絞り羽根１１１を保持する地板で、平面状をなす底面の中央には、絞り開放時の光束の最大径を規定する開口部１２１ｃが設けられる。そして該開口部１２１ｃの周囲には６個のカム溝１２１ａが設けられ、前記絞り羽根１１１のピン１１２が嵌合し、摺接移動可能となっている。この６個のカム溝１２１ａは、開口部１２１ｃを中心として６０度間隔で配置された同一形状の溝となっている。
【００３３】
１３１は風車と呼ばれる駆動部材で、中央の開口部１３１ｃの周囲には羽根駆動用の６個の穴１３１ａが等間隔で設けられ、該穴１３１ａには前記絞り羽根１１１のピン１１３が回転可能に嵌合している。そこで風車１３１が反時計方向に回動すると、前記６枚の絞り羽根１１１は上面の被駆動ピン１１３によって駆動されるが、その際に下面側の被駆動ピン１１２が前記カム溝１２１ａに規制されて摺動するため、絞り羽根１１１は開放状態から最小絞り値まで絞り込まれる。風車１３１が時計方向に反転すると、絞り羽根１１１は最小絞り値から開放状態に復帰する。また、風車１３１の上面には、風車１３１の初期位置を検出するための指標１３２と、被駆動用のギヤ１３３が設けられる。
【００３４】
１４１は仕切り板で、前記地板１２１との間に所定の空間を形成し、該空間内に前記絞り羽根１１１と前記風車１３１を収容する。仕切り板１４１の中央には光束通過用の開口部１４１ｃが設けられ、その隣りには後述するアポダイゼイションフィルタの回転支持軸１４２が植設される。更に風車１３１の指標１３２の有無を検出するための位相検出用窓１４１ｂ、後述するピニオンギヤの逃げ穴１４１ｅが設けられる。
【００３５】
１５１はアポダイゼイションフィルタで、厚さ０．１ｍｍ程度の透明樹脂フィルム、例えばＰＥＴ（ポリエチレンテレフタレート）フィルム上に、インクジェット印刷によって後述するアポダイゼイションパターン部（フィルタ有効部）１５１ａが形成されるとともに、端部には回動支持用の軸受穴１５１ｂと、被駆動用の長穴１５１ｃが設けられる。そして前記軸受穴１５１ｂが前記仕切り板１４１上の回転支持軸１４２に嵌合し、アポダイゼイションフィルタ１５１は回動可能に軸支される。フィルタ有効部１５１ａの透過率分布、すなわち光学濃度パターンは後述する。
【００３６】
１６１はカバー板で、前記仕切り板１４１との間に所定の空間を形成し、該空間内に前記アポダイゼイションフィルタ１５１が収容される。カバー板１６１の中央には光束通過用の開口部１６１ｃが設けられ、更に前記風車１３１の指標１３２の有無を検出するための検出用窓１６１ｂ、ピニオンギヤの逃げ穴１６１ｅ、後述する駆動レバーの逃げ穴１６１ｆが設けられる。
【００３７】
１７１は前記風車１３１を駆動するステップモータで、ピニオンギヤ１７１ａは前記穴１６１ｅ，１４１ｅを貫通し、ギヤ１７１ａの先端部（下部）は前記風車１３１に設けられたギヤ１３３にかみ合う。１７２は投光素子と受光素子を内蔵した光学的位置検出手段で、前記風車１３１の上面からの反射光を検出する。そして該位置検出手段１７２の直下に前記指標１３２が対向すると、所定の信号を出力し、風車１３１の位相角が初期状態に戻ったことを検出できるように構成されている。
【００３８】
以上の構成により、位置検出手段１７２の出力を観察しながらステップモータ１７１を駆動して風車１３１を初期状態に戻し、絞り開口を開放に復帰させる。そしてその位置からステップモータ１７１を所定のプログラムに従って駆動することで、絞り開口を任意の大きさに制御できる。
【００３９】
１７３は前記アポダイゼイションフィルタ１５１を駆動するための回動式アクチュエータで、無通電時には回動可能範囲の両端に安定的に停止する、双安定型のアクチュエータである。該アクチュエータ１７３の出力軸先端には駆動レバー１７３ａが固着され、さらに該レバー１７３ａの先端下面には駆動軸１７３ｂが植設される。そして該駆動軸１７３ｂは前記アポダイゼイションフィルタ１５１の被駆動用長穴１５１ｃに係合される。以上の構成により、アクチュエータ１７３への通電電流を正逆制御することで、駆動レバー１７３ａを回動制御し、アポダイゼイションフィルタ１５１のフィルタ有効部１５１ａを前記開口穴１４１ｃに対して進退制御することができる。
【００４０】
なお、上記アクチュエータ１７３及びステップモータ１７１は（光軸と直交する面内の）リング状の空間に並置することで、空間の使用効率が良く、装置全体をコンパクトにすることができる。
【００４１】
一方、上記光量調節装置１００の下方には、公知のシャッタ機構が配置される。そして図１においては、下方向が被写体側、上方向が結像面側となっている。すなわち、撮影用光束はシャッタ機構、絞り機構、アポダイゼイションフィルタの順に通過する。そして、本光量調節装置を搭載した光学装置においては、非撮影時にはシャッタ機構は光束遮断状態、すなわちシャッタ羽根は閉状態となり、絞り機構は最小絞り状態に保持される。この際、アポダイゼイションフィルタ１５１は暗黒下に置かれるので、紫外線等の有害光によるフィルタの色素劣化が回避される。
【００４２】
また、絞り羽根１１１とアポダイゼイションフィルタ１５１が光軸方向に積層配置され、全体が１つのユニットとして構成されている。そして絞り羽根駆動用のステップモータ１７１と、フィルタ駆動用アクチュエータ１７３が当ユニット内に並列配置されているため、従来の絞り機構とほぼ同等の空間にアポダイゼイションフィルタ１５１とその駆動機構を組み込むことができ、装置全体の小型化に寄与している。
【００４３】
なお本実施例１においては、上記絞り機構を後述する結像光学系に組み込んだ際に、Ｆナンバが開放のＦ２から小絞り側のＦ８まで調節できるように構成されている。
【００４４】
図２は、アポダイゼイションフィルタ１５１の進退動作を説明するための平面図である。同図（ａ）はフィルタが光束通過開口から退避した状態を示している。同図（ａ）において、１４１は図１で説明した仕切り板で、中央には光束通過用の開口部１４１ｃが設けられ、周縁部にはアポダイゼイションフィルタの回転支持軸１４２が植設される。
【００４５】
１５１はアポダイゼイションフィルタで、該フィルタ１５１に設けられた回動支持用の軸受穴１５１ｂが前記支持軸１４２に回動可能に嵌合保持される。１７３ａは図２では不図示のアクチュエータ１７３の出力軸に固着された駆動レバーで、その先端下面の駆動軸１７３ｂがアポダイゼイションフィルタ１５１に設けられた被駆動用長穴１５１ｃに係合している。そして同図（ａ）では該駆動レバー１７３ａが反時計方向に回動しているため、アポダイゼイションフィルタ１５１は時計方向に回動し、フィルタ有効部１５１ａは光束通過用の開口部１４１ｃの外側に退避している。
【００４６】
次いでアクチュエータ１７３に所定方向の電流が通電されると、駆動レバー１７３ａが時計方向に回動する。すると、アポダイゼイションフィルタ１５１は反時計方向に回動してフィルタ有効部１５１ａは開口部１４１ｃを覆うように進入し、図２（ｂ）の状態になる。さらにアクチュエータ１７３への通電電流を反転させると、アポダイゼイションフィルタ１５１も反転駆動し、同図（ａ）の状態に戻る。また、アクチュエータ１７３に双安定型を用いることで、無通電時にもアポダイゼイションフィルタ１５１を同図（ａ）及び（ｂ）の両方の状態に安定的に保持できる。
【００４７】
次に、アポダイゼイションフィルタ１５１の光学特性について説明する。
【００４８】
アポダイゼイションフィルタ１５１は、その有効領域上の位置によって光吸収能率が異なるが、前記有効領域内の任意の位置における分光透過率は可視光帯域において略均一である。このようなフィルタの光学特性を表わす指標として、一般的に光学濃度あるいは透過率が用いられる。ここで、フィルタの光学濃度（Optical Density、ＯＤ値)と透過率(Transmission Rate)Ｔｒ（％）は以下の式で関係付けられる。
【００４９】
透過率Ｔｒ＝１００＊１０（−ＯＤ値）                      …………（式１）
ＯＤ値    ＝−Ｌｏｇ１０（Ｔｒ／１００）              …………（式２）
図３は、本実施例１におけるアポダイゼイションフィルタ１５１のフィルタ有効部１５１ａのパターン特性を説明する図である。同図（ａ）は透過率分布を示し、横軸はフィルタにおける光線の入射高、すなわちフィルタの中心からの距離で、ｒ０はフィルタの有効半径である。縦軸は透過率Ｔｒ（％）である。また、同図（ｂ）は光学濃度（ＯＤ値）を示し、横軸は同じく入射高、縦軸は光学濃度である。
【００５０】
図３（ａ）において太い直線で示したＴｒ−1が、本実施例１における光学フィルタの透過率分布の設計値であり、入射高ｒに対する透過率Ｔｒ（ｒ）は、直線を表わす式、
Ｔｒ（ｒ）＝１００＊（ａ＊ｒ＋ｂ）                    …………（式３）
で記述される。ここで、ａは所定の負の係数、ｂは所定の正の定数である。また該直線の上下に示した細い直線は、透過率分布の許容値で、前記設計値に対してプラスマイナス２０％の値となっている。これは、光学フィルタ製作に際しての、透過率の製造誤差許容値に相当し、該許容値をはずれるとボケ像の輪郭調節効果が明らかに低下することが、本出願人の検討によって判っている。
【００５１】
一方、同図において破線で示したＴｒ−０は、通常のガウス分布型アポダイゼイションフィルタの透過率分布特性である。両フィルタの特性は、中央と最外周の透過率が等しくなる例を挙げているが、同図で明らかなように、本発明の直線分布型に対して、従来のガウス分布型はフィルタ中央付近の透過率は相対的に高く、周辺部の透過率は相対的に低くなっている。そしてガウス分布型の周辺部透過率は、前記直線分布型の許容値より更に低い事がわかる。
【００５２】
また、上記（式３）を（式２）に代入して計算した光学濃度分布が、同図（ｂ）に示したＯＤ−１である。なお、本実施例１では、中央の微小領域、すなわち入射高がｒ０／２０以下の領域には光吸収物質が付与されない、実質上透明の領域を設けている。その理由は、後述する製法にて光学フィルタを製作する場合、透過率分布の設計値がフィルタ中央において先鋭な頂点を有していると、製作誤差によってフィルタ中心部に輪帯パターンや暗点が発生する可能性があり、これを回避するために有限の透明領域を設けている。また、前記透明領域の透過率が１００％を下回っているのは、フィルタの入射面及び射出面における面反射によって生じた光量損失に起因するもので、光吸収物質による損失ではない。
【００５３】
図４は、設計の自由度が高く、薄型軽量化かつ安価なアポダイゼイションフィルタ１５１の構造を説明するための図で、図２（ｂ）におけるＡ−Ａ部の断面図である。１５１ｅは透明基材であるＰＥＴフィルムで、その上面にはインク受容層１５１ｆが塗工される。そして該インク受容層１５１ｆには、微小液滴吐出装置、いわゆるインクジェット記録装置により、低散乱かつ可視光帯域において平坦な分光透過率を有した染料系の色材が吐出され、直径２ｒ０のフィルタ有効部１５１ａが形成される。一方、前記フィルタ有効部１５１ａ以外の受容層領域は、前記色材よりも光学濃度の高い、例えば顔料系の色材にて遮光部１５１ｊが形成される。その後、平坦化層１５１ｇが塗工され、印刷工程で生じた受容層表面の凹凸が平坦化される。更に平坦化層１５１ｇの上面と透明基材１５１ｅの下面には、反射防止層１５１ｈ及び１５１ｉが蒸着法により形成される。
【００５４】
以上の工程で、大面積の透明基材１５１ｅ上に多数のアポダイゼイションフィルタが形成されるので、最後にプレス工程で個々のフィルタに打ち抜き分離する際、回転駆動用の軸受穴１５２が同時に穿設され、該フィルタ１５１が完成する。なお、前記各層の材料や塗工、乾燥工程の詳細や、光学濃度分布が連続的に変化し、かつ入射光線に対する散乱や回折の少ない高品質フィルタを製作する技術の詳細については，本発明とは直接関係なく、又既に種々の提案がなされているのでその詳細は省略する。
【００５５】
なお、本発明のアポダイゼイションフィルタを製造する工程は、上記工程が好適ではあるが、これに限定されるものではない。例えば、フィルタの光束通過部のみを上記インクジェット印刷工程で製造したのちに打ち抜き分離し、これを金属薄板製の保持レバー上に貼付しても構わない。また、真空蒸着装置を用いて、酸化チタン等の光吸収性薄膜を形成する際、該膜の膜厚を連続的に変化させても構わない。
【００５６】
次に、図１の光量調節装置を撮影装置に適用した場合の、光量調節機能について説明する。
【００５７】
スチルカメラで適正露出を得るための演算式は、一般に以下のＡＰＥＸ演算式が用いられる。
【００５８】
ＡＶ＋ＴＶ＝ＢＶ＋ＳＶ＝ＥＶ                            …………（式４）
ここで、ＡＶは開口値（Aperture Value）、ＴＶは時間値（TimeValue)、ＢＶは輝度値（Luminance Value)、ＳＶは感度値（Film Speed Value)、ＥＶは露出値（Exposure Value)である。
【００５９】
ところで、上述したアポダイゼイションフィルタ１５１は、可視光帯域の光束を減衰させる機能を有するので、ＮＤフィルタ（Neutral Density Filter）の一種とみなすことができる。そして、光量調節のために絞り機構とＮＤフィルタを併用する場合は、絞り開口を示すＦナンバのほかに、ＮＤフィルタによる透過率低下分を加味したＴナンバを考慮する必要がある。ここで、ＮＤフィルタを用いたことによる減光段数、Ｔナンバ及びＡＶ値は以下の式で表わされる。
【００６０】
減光段数＝−Ｌｏｇ２（Ｔｒ／１００）
＝−３．３２＊Ｌｏｇ１０（Ｔｒ／１００）
＝３．３２＊ＯＤ値                            …………（式５）
Ｔナンバ＝Ｆナンバ／（Ｔｒ／１００）０．５                …………（式６）
ＡＶ値（Ｔナンバ相当）＝ＡＶ値（Ｆナンバ相当）−Ｌｏｇ２（Ｔｒ／１００）
＝ＡＶ値（Ｆナンバ相当）＋減光段数  ……（式７）
ただし、（式１）及び（式２）の透過率とＯＤ値はフィルタ上の所定箇所の値であったのに対して、（式５）ないし（式７）の透過率とＯＤ値は絞り羽根が形成する光束通過開口内の全領域における平均値が用いられる。
【００６１】
図５は、図３に示した特性をもつアポダイゼイションフィルタ１５１を図１の光量調節装置に組み込み、これを結像光学系に用いた場合の、Ｔナンバと減光段数を説明する図である。
【００６２】
同図において、横軸は光量調節装置１００が内蔵する絞り機構により調節されたＦナンバである。本実施例における結像光学系の開放Ｆナンバは、後述するようにＦ２．０になっており、絞り機構は開放のＦ２．０から最小絞りのＦ８．０までの絞り調節機能を有している。縦軸はＴナンバ（左目盛り）と減光段数（右目盛り）である。この図において、アポダイゼイションフィルタ１５１を光束通過開口から退避させた場合は、破線で示すようにＦナンバとＴナンバは一致する。一方、ポダイゼイションフィルタ１５１を開口内に侵入させて使用する場合は、実線で示したＴナンバと減光段数になる。すなわち、絞り開放時には、アポダイゼイションフィルタ１５１の効果が最大になるが、光量損失も最大で、減光段数はおよそ１．５段、Ｔナンバは約３．４となる。そして絞り機構による絞り込みによってＦナンバが大きくなるほど減光段数が減少し、ＴナンバはＦナンバに近づくが、アポダイゼイションフィルタ１５１の効果は減じられる。最小絞りのＦ８では、減光段数は０．３段、Ｔナンバは８．９となる。
【００６３】
図６は、図１ないし図５で説明した光量調節装置１００を撮影装置に配置したものである。本実施例１では、撮影装置は光学像を撮像手段で電気信号に光電変換し、静止画像及び動画像をデジタルデータとして記録する電子カメラを例として説明する。
【００６４】
４００は複数のレンズ群からなる結像光学系で、フロントレンズ群４０１、ズームレンズ群４０２、フォーカシングレンズ群４０３、光学ローパスフィルタ４０４を有する。本実施例１での結像光学系の光学仕様は、３５ｍｍフィルムを用いたカメラ換算で焦点距離が３５−２００ｍｍ、開放Ｆナンバは２．０であるものとする。１００は図１で示した光量調節装置、４０６は、複数の遮光羽根の駆動により露光時間を調節する公知のシャッタ機構である。
【００６５】
また、結像光学系４００の焦点位置（予定結像面）には、撮像手段４４０が配置される。これは照射された光エネルギを電荷に変換する複数の光電変換部、該電荷を蓄える電荷蓄積部、及び該電荷を転送し、外部に送出する電荷転送部からなる２次元ＣＣＤ等の光電変換手段が用いられる。本実施例１では、３００万画素のＣＣＤセンサが用いられるものとする。
【００６６】
撮像手段４４０上に結像された被写体の像は、その明るさの強弱に応じた画素毎の電荷量として、電気信号に変換され、アンプ回路４４１で増幅された後、画像信号処理回路４４２で所定のγ補正等の処理を施される。なおこの処理は、Ａ／Ｄ変換後のデジタル信号処理で行われてもよい。このようにして作られた映像信号はメモリ４４３に記録される。メモリ４４３は、フラッシュＲＯＭ等の半導体メモリ、光磁気ディスク等の光メモリ、磁気テープ等の磁気メモリ等、種々のものが利用可能である。
【００６７】
４２１は液晶ディスプレイ等の表示器で、撮像手段４４０で取得された被写体像や、光学装置の動作状況を表示する。４２２は操作スイッチ群で、ズームスイッチ、撮影準備スイッチ、撮影開始スイッチ、静止画モードと動画モードを選択する撮影モード選択スイッチ、露出制御モードやＡＦモード等を設定する撮影条件スイッチで構成される。４２３はズームアクチュエータで、前記ズームレンズ群４０２を駆動し、結像光学系４００の焦点距離を変える。４２４はフォーカスアクチュエータで、前記フォーカシングレンズ群４０３を駆動し、結像光学系４００の焦点状態を調節する。
【００６８】
４３１はＣＰＵで、撮影装置全体の動作を制御する。４３２はフィルタ駆動回路で、図１に図示したアクチュエータ１７３への通電制御により、アポダイゼイションフィルタ１５１を光束開口内に進退駆動する。４３３は絞り駆動回路で、図１にも図示した光学的位置検出手段１７２の出力をモニタしながらステップモータ１７１を駆動する。そして風車１３１の回転角を調節し、Ｆナンバを所望の値に制御する。４３４はシャッタ駆動回路で、前記シャッタ機構４０６を駆動し、撮像手段４４０への露光時間を制御する。
【００６９】
なお、図６においては、結像光学系と、撮像素子をはじめとする撮像部が一体となった実施形態を示しているが、光量調節装置を内蔵した結像光学系が、撮像部に対して着脱可能な形態としても構わない。すなわち、結像光学系を有する光学装置と、撮像部を有する撮像装置が分離可能な、一眼レフカメラのような形態でも構わない。
【００７０】
図７は、本実施例１に係わる光学フィルタを用いて輝点を撮影した場合の、ボケ像の輪郭調節効果を説明するための図である。評価は以下の手順で行った。
（１）Ａ４横置きサイズの黒色、かつ遮光性のある紙に、水平、垂直、及び対角方向に、所定間隔で小孔をあける。
（２）上記遮光紙をライトボックス上に置き、照明光源を点灯することで、暗黒背景に輝点が配列された被写体を得る。
（３）図６の撮影装置を上記被写体に正対させ、撮影光学系の焦点距離を望遠端に、絞り値は開放に設定する。次いでアポダイゼイションフィルタ１５１を撮影光束外に退避させ、オートフォーカス（ＡＦ）機能を用いて輝点被写体に対して合焦させ、撮影する。このようにして得た画像が図７（ａ）である。
（４）次いでＡＦ機能を解除し、マニュアルフォーカス機能を用いて輝点被写体の手前側に焦点を合わせ、撮影する。このようにして得た画像が図７（ｂ）である。
（５）次いでアポダイゼイションフィルタ１５１を撮影光束内に進入させ、（４）と同一の条件で撮影する。このようにして得た画像が図７（ｃ）である。
（６）比較のために、ガウス分布型透過率を有したアポダイゼイションフィルタ１５１を組み込んだ撮影装置を用意し、（５）と同一の条件で撮影する。このようにして得た画像が図７（ｄ）である。
【００７１】
以上の手順にて得た３個のボケ像を比較すると、以下のことがわかる。まず図７（ｂ）のフィルタなしのボケ像は、輪郭のエッジが鋭く、単独のボケ像でも違和感があるほか、複数のボケ像が重なると違和感は更に増す。
【００７２】
同図（ｄ）のボケ像は、輪郭が滑らかに緩和された自然なボケ形状を呈するが、ボケ像の直径が小さくなり、主被写体と背景の距離差が少ないシーンでは立体感に乏しい画像となる可能性がある。
【００７３】
これに対して同図（ｃ）のボケ像は、輪郭が適度に緩和され、かつボケ像の大きさも維持されており、両者のバランスがよい。すなわち本実施例１における透過率分布が直線型のアポダイゼイションフィルタ１５１を用いることで、ボケ像の輪郭が違和感なく調節され、かつボケ像の大きさを大幅に縮小させることなく、立体感豊かな画像を得ることができる。
【００７４】
なお、光学フィルタの透過率分布形状が理想的な直線から若干ずれても、上記効果を維持することができる。本出願人の検討によれば、フィルタ中心部から有効部最外周に向かって透過率分布が直線的に減少する設計値に対し、任意の点の透過率が設計値に対してプラスマイナス２０％の範囲に収まった略直線分布、すなわち図３（ａ）の細い直線で示した許容値の範囲内であれば、図７（ｃ）のような効果を得ることができる。
【実施例２】
【００７５】
上記実施例１に用いたアポダイゼイションフィルタ１５１は、透過率分布が中心から周辺に向かって直線的に減少する単一のフィルタ部を備え、アクチュエータは該フィルタを光束通過開口部に対して進退駆動するのみであったが、以下に示す実施例２は、１枚のフィルタ基板上に複数のアポダイゼイションフィルタを有し、撮影意図に応じて最適なフィルタ有効部を選択可能とした例を示す。
【００７６】
図８は、本発明の実施例２に係る光量調節装置２００の構造を説明するための要部分解斜視図であり、上記実施例１の図１に対応する。
【００７７】
同図において、２１１は全域に渡って遮光性を有する絞り羽根で、その下面と上面には被駆動用のピン２１２および２１３が植設される。絞り羽根２１１は同一形状のものが６枚用いられ、絞り開口が形成される。２２１は絞り羽根２１１を保持する地板で、平面状をなす底面の中央には、絞り開放時の光束の最大径を規定する開口部２２１ｃが設けられる。そして、該開口部２２１ｃの周囲には６個のカム溝２２１ａが設けられ、前記絞り羽根２１１のピン２１２が嵌合し、摺接移動可能となっている。
【００７８】
２３１は風車と呼ばれる駆動部材で、中央の開口部２３１ｃの周囲には羽根駆動用の６個の穴２３１ａが等間隔で設けられ、該穴２３１ａには前記絞り羽根２１１のピン２１３が回転可能に嵌合している。そこで風車２３１が反時計方向に回動すると、実施例１と同様に絞り開口径が連続的に減少し、絞り込み動作が行われる。また、風車２３１の上面には、風車２３１の初期位置を検出するための指標２３２と、被駆動用のギヤ２３３が設けられる。
【００７９】
２４１は仕切り板で、前記地板２２１との間に所定の空間を形成し、該空間内に前記羽根２１１と前記風車２３１を収容する。仕切り板２４１の中央には光束通過用の開口部２４１ｃが設けられ、その隣りには後述するアポダイゼイションフィルタの回転支持軸２４２が植設される。更に風車２３１の指標２３２の有無を検出するための位相検知用窓２４１ｂ、後述するピニオンギヤの逃げ穴２４１ｅが設けられる。
【００８０】
２５１は円盤状のアポダイゼイションフィルタで、実施例１と同様、厚さ０．１ｍｍ程度の透明樹脂フィルム、例えばＰＥＴ（ポリエチレンテレフタレート）フィルム上に、インクジェット印刷によって後述するアポダイゼイションパターンが形成されるとともに、中心には軸受け２５２が設けられ、前記仕切り板２４１上の回転支持軸２４２に回転可能に軸支される。アポダイゼイションフィルタ２５１の外周部には、金属板製のギヤ２５３が接着される。なお、アポダイゼイションフィルタの基材である透明フィルムの外周部をギヤ状の形状としても構わない。さらに、アポダイゼイションフィルタ２５１の上面には、該フィルタの回転方向の初期位置を検出するための指標２５４が設けられる。
【００８１】
アポダイゼイションフィルタ２５１の光減衰用パターンは、実施例２では以下の４つの領域より構成される。２５１ａは有効範囲に沿って円形の孔が設けられた素通しのフィルタ部、２５１ｂは実施例１のフィルタ有効部１５１ａと同様の透過率分布が直線型のフィルタ部、２５１ｃは実施例１の説明の際に、従来例として説明した透過率分布がガウス型のフィルタ部、２５１ｄは中央部が所定の光吸収能率を有し、かつ透過率分布が直線型のＮＤフィルタ兼用アポダイゼイションフィルタ部である。詳しくは図１０を用いて後述する。
【００８２】
２６１はカバー板で、前記仕切り板２４１との間に所定の空間を形成し、該空間内に前記フィルタ２５１が収容される。カバー板２６１の中央には光束通過用の開口部２６１ｃが設けられ、更に風車２３１の指標２３２と前記フィルタの指標２５４の有無を検出するための検出用窓２６１ｂ及び２６１ｄ、そして後述するピニオンギヤの逃げ穴２６１ｅ及び２６１ｆが設けられる。
【００８３】
２７１は前記風車２３１を駆動するステップモータで、ピニオンギヤ２７１ａは前記逃げ穴２６１ｅ、２４１ｅを貫通して前記風車２３１に設けられたギヤ２３３にかみ合う。２７２は投光素子と受光素子を内蔵した光学的位置検出手段で、前記風車２３１の上面からの反射光を検出する。そして該検出手段２７２の直下に前記指標２３２が対向すると、所定の信号を出力し、風車２３１の位相角が初期状態に戻ったことを検知できるように構成されている。
【００８４】
以上の構成により、位置検出手段２７２の出力を観察しながらステップモータ２７１を駆動して風車２３１を初期状態に戻し、絞り開口を開放に復帰させる。そして、その位置からステップモータを所定のプログラムに従って駆動することで、絞り開口を任意の大きさに制御できる。なお本実施例２においても、上記絞り機構を後述する結像光学系に組み込んだ際に、Ｆナンバが開放のＦ２から小絞り側のＦ８まで調節できるように構成されている。
【００８５】
２７３は前記アポダイゼイションフィルタ２５１を駆動するステップモータで、ピニオンギヤ２７３ａは前記逃げ穴２６１ｆを貫通して前記フィルタ２５１に設けられたギヤ２５３にかみ合う。２７４は投光素子と受光素子を内蔵した光学的位置検出手段で、前記フィルタ２５１の上面からの反射光を検出する。そして該検出手段２７４の直下に前記指標２５４が対向すると、所定の信号を出力し、前記フィルタ２５１の位相角が初期状態に戻ったことを検知できるように構成されている。
【００８６】
以上の構成により、位置検出手段２７４の出力を観察しながらステップモータ２７３を駆動してアポダイゼイションフィルタ２５１を初期状態、すなわち素通しのフィルタ部２５１ａが開口部２４１ｃを覆う状態に戻す。そして、その位置からステップモータを所定のプログラムに従って駆動することで、所望のパターン部を開口部２４１ｃに進入させ、ボケ像改善効果を可変できる。
【００８７】
また、開口部２２１ｃ、あるいは２４１ｃを取り囲む円環状の空間に複数の駆動制御手段、すなわち２個のステップモー２７１及び２７３を並列配置したため、実施例１の光量調節装置とほぼ同等の大きさに抑えることができる。
【００８８】
図９は、アポダイゼイションフィルタ２５１の詳細構造を説明するための平面図で、上記実施例１の図２に相当する。
【００８９】
２７３ａはフィルタ駆動用ステップモータ２７３のピニオンギヤで、フィルタ外周のギヤ２５３にかみ合う。従って、ピニオンギヤ２７３ａが時計方向に駆動されると、アポダイゼイションフィルタ２５１は反時計方向に回転し、開口部２４１ｃ内に前記有効部２５１ａないし２５１ｄが順番に挿入される。
【００９０】
図１０は、本実施例２におけるアポダイゼイションフィルタ２５１のフィルタ部２５１ａないし２５１ｄのパターン特性を説明する図である。図１０（ａ）は透過率分布を示し、実施例１の図３（ａ）に対応する。また、図１０（ｂ）は光学濃度（ＯＤ値）を示し、同じく実施例１の図３（ｂ）に対応する。そして図中の２５１ａないし２５１ｄは、図８に示したフィルタ部２５１ａないし２５１ｄの透過率Ｔｒ及び光学濃度を同一の符号にて示している。本実施例２では、４箇所のフィルタ部は以下の特徴を有するため、撮影状況に応じて最適なフィルタ部を選択することで、撮影者の撮影意図により適した画像を得ることができる。以下に各フィルタ有効部の特徴を説明する。
【００９１】
フィルタ部２５１ａは素通しであるため、ボケ像緩和が不要な撮影シーン、あるいはフィルタによる光量減衰を回避したい撮影シーンで用いられる。具体的には、画面全体にピントが合っており、ボケが発生しないシーン、あるいは暗いシーンで用いられる。
【００９２】
フィルタ部２５１ｂは実施例１で説明した、透過率分布が直線型のアポダイゼイションフィルタで、ボケ像緩和効果とボケ像の大きさ維持の両立を図ったフィルタ部である。従って、ボケ像を緩和したい撮影シーン全般に適し、具体的には、マクロ撮影、静物撮影、中望遠を用いたスナップ撮影等に好適である。
【００９３】
フィルタ部２５１ｃは実施例１で説明した、透過率分布がガウス分布型のアポダイゼイションフィルタで、ボケ像の大きさ維持よりもボケ像の自然さを重視したフィルタであるため、特に自然なボケ像を必要とする撮影シーンに好適である。具体的には望遠レンズを用いて人物を大写しにし、かつ背景を大きくぼかすポートレイト撮影に好適である。
【００９４】
フィルタ部２５１ｄは、直線的な透過率分布を有するフィルタ部２５１ｂと、所定濃度のＮＤフィルタを複合させたフィルタ部であり、ボケ像緩和効果を必要とし、かつ強力な光量減衰効果も得たい撮影シーンに好適である。すなわち、アポダイゼイションフィルタの効果が最大に発揮されるのは絞りが開放の場合であるが、高輝度下において絞り開放で撮影する際、シャッタ速度を最高速にしても露出オーバーとなる場合がある。その場合、アポダイゼイションフィルタとＮＤフィルタの併用が必要になるが、本実施例２のフィルタ部２５１ｄを用いることで、ボケ像緩和と強力な光量減衰作用が１枚のフィルタで達成され、フィルタ使用に起因する画質低下を最小限に押さえることができる。なお、本実施例２においては中心部の透過率を５０％としているが、中心部の透過率が７０％程度であっても、実用上は高速シャッタ秒時との組み合わせで適正露出を得ることができる。
【００９５】
図１１は、アポダイゼイションフィルタ２５１の構造を説明するための図で、図９におけるＡ−Ａ部の断面図である。
【００９６】
２５１ｅは透明基材であるＰＥＴフィルムで、その上面にはインク受容層２５１ｆが塗工される。該インク受容層２５１ｆは微小液滴吐出装置、いわゆるインクジェット記録装置により、低散乱かつ可視光帯域において平坦な分光透過率を有した染料系の色材が吐出され、直径２ｒ０のフィルタ部２５１ｂないし２５１ｄが形成される。一方、前記３箇所のフィルタ部以外の受容層領域は、前記色材よりも光学濃度の高い、例えば顔料系の色材にて遮光部２５１ｊが形成される。その後、平坦化層２５１ｇが塗工され、印刷工程で生じた受容層表面の凹凸が平坦化される。更に平坦化層２５１ｇの上面と透明基材２５１ｅの下面には反射防止層２５１ｈ及び２５１ｉが蒸着法により形成される。
【００９７】
以上の工程で、大面積の透明基材２５１ｅ上に多数のアポダイゼイションフィルタが形成されるので、最後にプレス工程で個々のフィルタに打ち抜き分離する際、素通し部２５１ａ及び回転駆動用の軸受穴２５２が同時に穿設され、該フィルタ２５１が完成する。
【００９８】
図１２は、図９ないし図１１で説明したアポダイゼイションフィルタ２５１を図８の光量調節装置に組み込み、これを結像光学系に用いた場合の、Ｔナンバと減光段数を説明する図で、実施例１の図５に相当する。
【００９９】
同図において、横軸は光量調節装置２００が内蔵する絞り機構により調節されたＦナンバである。本実施形態における結像光学系の開放Ｆナンバは、実施例１と同様にＦ２．０になっており、絞り機構は開放のＦ２．０から最小絞りのＦ８．０までの絞り調節機能を有している。縦軸はＴナンバ（左目盛り）と減光段数（右目盛り）である。当図からわかるとおり、素通し部２５１ａは有効領域全体に渡って透明なため、ＦナンバとＴナンバは一致し、減光段数はゼロである。そして、フィルタ有効部２５１ｂ，２５１ｃ，２５１ｄの順に減光段数が大きくなり、ＦナンバとＴナンバの乖離も大きくなる。ただしフィルタ２５１ｂと２５１ｃのＴナンバ及び現行段数の差は僅かなため、図１２においては同一の曲線で示した。
【０１００】
図１３は、図８で説明した光量調節装置２００を撮影装置に配置したもので、実施例１と同様の構成であるため、説明は省略する。
【０１０１】
以上の各実施例によれば、中心から周辺に向かって光束透過率が略直線的に減少する特性のフィルタ（フィルタ有効部１５１ａ、フィルタ部２５１ｂ）を撮影光学系等に用いるようにしているので、ボケ像の輪郭調節機能が適度に発揮され、かつボケ像の大きさを適切に維持した画像を提供可能となる。
【０１０２】
また、フィルタ有効部１５１ａ及びフィルタ部２５１ｂの透過率分布の設計値を直線形状としたため、製造誤差の許容値を過少な値に制限する必要がなく、製法自由度を増したり、製造規格の緩和によるコスト低減が図れる。
【０１０３】
また、実施例２においては、第１の中心からその周辺に向かって光束透過率が略直線的に減少する、ボケ像の輪郭調節機能とボケ像の大きさ維持機能の両立を図ったフィルタ部２５１ｂと、第２の中心からその周辺に向かって光束透過率が略ガウス分布にて減少する、ボケ像の輪郭調節機能を重視したフィルタ部２５１ｃを選択的に使用できる構成であるため、撮影意図に応じた高品位画像を得ることができる。
【０１０４】
また、フィルタ有効部１５１ａ及びフィルタ部２５１ｂは、中心部が所定の光吸収能率を有するとともに該中心部から周辺に向かって光束透過率が略直線的に減少し、かつ該中心に対する光束透過率分布が軸対称であるので、高輝度シーンにおいても、アポダイゼイション効果を得ながら絞り開放で撮影できるため、ボケ像の輪郭調節効果を得ながら適正露出の画像を得ることができる。
【０１０５】
また、図６や図１３に示すように、デジタルカメラ等の撮影装置の瞳位置近傍に上記アポダイゼイションフィルタ（フィルタ有効部１５１ａ、フィルタ部２５１ｂ）を配置することで、ボケ像の輪郭調節効果とボケ像の大きさ維持効果の両立を図った高品位画像を簡単に取得することができる。
【０１０６】
つまり、上記各実施例によれば、撮影意図に応じて所望のフィルタを選択することにより、ボケ像改善とボケ像の大きさ維持を両立させるか、ボケ像改善効果を重視するか、あるいは光量維持を重視するか等を選択でき、被写界深度とボケ像改善の調和を図った高品位画像を得ることが可能となる。
【産業上の利用可能性】
【０１０７】
本発明は、ボケ像の輪郭調節機能を有しており、撮影装置及び光学フィルタに有用である。
【図面の簡単な説明】
【０１０８】
【図１】本発明の実施例１における光量調節装置の分解斜視図である。
【図２】本発明の実施例１におけるアポダイゼイションフィルタの平面図である。
【図３】本発明の実施例１におけるアポダイゼイションフィルタの透過率分布説明図である。
【図４】本発明の実施例１におけるアポダイゼイションフィルタの断面図である。
【図５】本発明の実施例１におけるアポダイゼイションフィルタの光量調節作用説明図である。
【図６】本発明の実施例１における撮影装置の構成図である。
【図７】本発明の実施例１におけるアポダイゼイションフィルタのボケ像改善効果説明図である。
【図８】本発明の実施例２における光量調節装置の分解斜視図である。
【図９】本発明の実施例２におけるアポダイゼイションフィルタの平面図である。
【図１０】本発明の実施例２におけるアポダイゼイションフィルタの透過率分布説明図である。
【図１１】本発明の実施例２におけるアポダイゼイションフィルタの断面図である。
【図１２】本発明の実施例２におけるアポダイゼイションフィルタの光量調節作用説明図である。
【図１３】本発明の実施例２における撮影装置の構成図である。
【符号の説明】
【０１０９】
１００，２００      光量調節装置
１１１，２１１      絞り羽根
１２１，２２１      地板
１２１ｃ，２２１ｃ  開口部
１３１，２３１      風車
１３１ｃ，２３１ｃ  開口部
１３３，２３３      ギヤ
１４１，２４１      仕切り板
１５１，２５１      アポダイゼイションフィルタ
１５１ａ            フィルタ有効部
２５１ａ，２５１ｂ，２５１ｃ，２５１ｄ    フィルタ部
１６１，２６１      カバー板
１７１，２７１，２７３    ステップモータ
１７３              回転型アクチュエータ
１７３ａ            駆動レバー
１７２，２７２，２７４  位置検出手段
４００              結像光学系
４０６              シャッタ機構
４４０              撮像手段
４３１              ＣＰＵ
４３２              アポダイゼイションフィルタ駆動回路
４３３              絞り駆動回路
４３４              シャッタ駆動回路
【図１】
2005266096.tif 000003
【図２】
2005266096.tif 000004
【図３】
2005266096.tif 000005
【図４】
2005266096.tif 000006
【図５】
2005266096.tif 000007
【図６】
2005266096.tif 000008
【図７】
2005266096.tif 000009
【図８】
2005266096.tif 000010
【図９】
2005266096.tif 000011
【図１０】
2005266096.tif 000012
【図１１】
2005266096.tif 000013
【図１２】
2005266096.tif 000014
【図１３】
2005266096.tif 000015